(57)【要約】【課題】画像データの再生中に撮影モードに移行した場合にディスプレイの画面がブラックアウトしてしまうことを防止し、且つ撮影モード終了後に再生モードに自動的に復帰することができる技術の実現。【解決手段】画像データを表示する画像表示装置であって、撮像装置から画像データを受信する第１の通信手段と、前記撮像装置との間で制御データを送受信する第２の通信手段と、前記撮像装置から受信した画像データを表示する表示部と、前記第１の通信手段を介して受信した画像データと前記第２の通信手段を介して受信した制御データとに基づいて、前記表示部を制御する制御手段とを有し、前記制御手段は、前記撮像装置から受信した画像データを前記表示部に表示しているときに、前記撮像装置が前記第１の通信手段を介して前記画像表示装置に対して画像データを送信している再生モードから、被写体を撮影する撮影モードに切り替わった場合、そのときに表示している画像データの表示状態を保持するように前記表示部を制御する。【選択図】図１
2009260571.tif 000002
【特許請求の範囲】
【請求項１】
画像データを表示する画像表示装置であって、
撮像装置から画像データを受信する第１の通信手段と、
前記撮像装置との間で制御データを送受信する第２の通信手段と、
前記撮像装置から受信した画像データを表示する表示部と、
前記第１の通信手段を介して受信した画像データと前記第２の通信手段を介して受信した制御データとに基づいて、前記表示部を制御する制御手段とを有し、
前記制御手段は、前記撮像装置から受信した画像データを前記表示部に表示しているときに、前記撮像装置が前記第１の通信手段を介して前記画像表示装置に対して画像データを送信している再生モードから、被写体を撮影する撮影モードに切り替わった場合、そのときに表示している画像データの表示状態を保持するように前記表示部を制御することを特徴とする画像表示装置。
【請求項２】
前記制御手段は、前記第２の通信手段を介して前記撮像装置にモード切替指示を送信することで前記撮像装置を再生モードに切り替え、
前記撮像装置は、ユーザの操作により撮影動作が開始されることで前記再生モードから前記撮影モードに切り替わることを特徴とする請求項１に記載の画像表示装置。
【請求項３】
前記制御手段は、前記撮像装置が保持する画像データのリストを取得し、当該リストをユーザの操作により選択可能に前記表示部に一覧表示し、
ユーザの操作により前記リストから選択された画像データを前記撮像装置から取得して前記表示部に表示することを特徴とする請求項１又は２に記載の画像表示装置。
【請求項４】
前記制御手段は、前記撮像装置が前記再生モードから前記撮影モードに切り替わった場合、そのときに表示されている画像データの表示状態を保持する旨のメッセージを表示するように前記表示部を制御することを特徴とする請求項１乃至３のいずれか１項に記載の画像表示装置。
【請求項５】
前記制御手段は、前記撮像装置が前記再生モードから前記撮影モードに切り替わった場合、前記ユーザの操作により選択された前記画像データのリストを保存する保存手段を有し、
前記制御手段は、前記撮像装置が前記撮影モードから前記再生モードに復帰した場合、前記保存手段に保存された前記画像データのリストに含まれる画像データを前記撮像装置から取得して画像データの表示を再開するように前記表示部を制御することを特徴とする請求項３に記載の画像表示装置。
【請求項６】
前記撮像装置は、前記撮影モードが終了した後、前記撮影モードにおいて新たに画像データが生成されたことを前記画像表示装置に通知し、
前記制御手段は、前記撮像装置により新たに画像データが生成された旨のメッセージを表示するとともに、前記再生モードが中断したときに前記保存手段に保存された前記画像データのリストを一覧表示するように前記表示部を制御することを特徴とする請求項５に記載の画像表示装置。
【請求項７】
撮像装置から画像データを受信する第１の通信手段と、前記撮像装置との間で制御データを送受信する第２の通信手段と、前記撮像装置から受信した画像データを表示する表示部とを有する画像表示装置の制御方法であって、
前記撮像装置から受信した画像データを前記表示部に表示しているときに、前記撮像装置が前記第１の通信手段を介して前記画像表示装置に対して画像データを送信している再生モードから、被写体を撮影する撮影モードに切り替わった場合、そのときに表示している画像データの表示状態を保持するように前記表示部を制御することを特徴とする制御方法。
【請求項８】
請求項７に記載の制御方法を画像表示装置のコンピュータに実行させるためのプログラム。
【発明の詳細な説明】
【技術分野】
【０００１】
本発明は、デジタルカメラやビデオカメラをディスプレイに接続してカメラにより撮影した画像データを表示する技術に関する。
【背景技術】
【０００２】
従来、カメラで撮影された画像データをディスプレイに再生するために、ディスプレイとカメラをネットワークケーブルなどで接続する技術が存在する。このような技術は主にカメラから離れた遠隔地点に設置されたディスプレイによって撮影画像データを鑑賞するための手法である。例えば特許文献１には、データ通信バスを介して接続された撮影装置の画質設定を遠隔操作で行えるようにした技術が記載されている。
【特許文献１】特開２０００−１３８８７０号公報
【発明の開示】
【発明が解決しようとする課題】
【０００３】
上記特許文献１では、ユーザが遠隔地点からカメラを操作する場合を想定しているが、カメラがカメラ本体に記録された画像データを再生する手段を持ち、且つユーザがカメラの動作状態を撮影モードに直接切り替え可能なシステムでは、後述する課題がある。
【０００４】
即ち、カメラを再生モードに設定し、接続されたディスプレイで画像データを再生中に、ユーザがカメラを操作して撮影モードに移行した場合、再生が中断されてしまう。再生が中断されると、カメラに接続されたディスプレイの画面には何も表示されず、所謂ブラックアウトの状態になってしまう。
【０００５】
また、撮影モードの終了後に中断する前の再生モードに復帰する手段を持たないため、再生されていた画像データを再び鑑賞できる状態に戻るためには、ユーザが別途操作を行う必要があった。
【０００６】
本発明は、上記課題に鑑みてなされ、画像データの再生中に撮影モードに移行した場合にディスプレイの画面がブラックアウトしてしまうことを防止し、且つ撮影モード終了後に再生モードに自動的に復帰することができる技術を実現する。
【課題を解決するための手段】
【０００７】
上記課題を解決するために、本発明の画像表示装置は、画像データを表示する画像表示装置であって、撮像装置から画像データを受信する第１の通信手段と、前記撮像装置との間で制御データを送受信する第２の通信手段と、前記撮像装置から受信した画像データを表示する表示部と、前記第１の通信手段を介して受信した画像データと前記第２の通信手段を介して受信した制御データとに基づいて、前記表示部を制御する制御手段とを有し、前記制御手段は、前記撮像装置から受信した画像データを前記表示部に表示しているときに、前記撮像装置が前記第１の通信手段を介して前記画像表示装置に対して画像データを送信している再生モードから、被写体を撮影する撮影モードに切り替わった場合、そのときに表示している画像データの表示状態を保持するように前記表示部を制御する。
【０００８】
また、本発明の画像表示装置の制御方法は、撮像装置から画像データを受信する第１の通信手段と、前記撮像装置との間で制御データを送受信する第２の通信手段と、前記撮像装置から受信した画像データを表示する表示部とを有する画像表示装置の制御方法であって、前記撮像装置から受信した画像データを前記表示部に表示しているときに、前記撮像装置が前記第１の通信手段を介して前記画像表示装置に対して画像データを送信している再生モードから、被写体を撮影する撮影モードに切り替わった場合、そのときに表示している画像データの表示状態を保持するように前記表示部を制御する。
【発明の効果】
【０００９】
本発明によれば、画像データの再生中に撮影モードに移行した場合にディスプレイの画面がブラックアウトしてしまうことを防止し、且つ撮影モード終了後に再生モードに自動的に復帰することができる。
【発明を実施するための最良の形態】
【００１０】
以下に、添付図面を参照して本発明を実施するための最良の形態について詳細に説明する。
【００１１】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
［システム構成］
図１は、本発明に係る実施形態の表示システムの構成を示す概略図である。
【００１３】
図１において、本実施形態の表示システムはカメラ１０１と表示装置１０２とリモートコントローラ（以下、赤外線リモコン）１０３とを備える。カメラ１０１は被写体を撮像し画データを生成する「撮影モード」と、撮影モードにおいて撮影されメモリなどに記録された画像データを再生する「再生モード」とを有する。上記撮影モードでは、ユーザがカメラ１０１のシャッターボタン１０４を押下することで撮影動作が行われる。
【００１４】
表示装置１０２とカメラ１０１とは、第１の通信手段１０５と第２の通信手段１０６とで通信可能に接続されている。
【００１５】
本実施形態において、第１の通信手段１０５は高速の単方向通信インターフェイスであり、カメラ１０１から表示装置１０２へ一方的にデータが送信される。また、第２の通信手段１０６は低速の双方向通信インターフェイスであり、カメラ１０１と表示装置１０２は相互に通信を行うことができる。
【００１６】
カメラ１０１は、後述するように第１の通信手段１０５を介して表示装置１０２に画像データのリストを送信する。表示装置１０２は、カメラ１０１から取得したリストを選択可能に一覧表示する。ここでユーザが赤外線リモコン１０３を操作することで一覧表示されたリストから所定のファイルが選択されると、選択されたファイルの画像データがカメラ１０１から第１の通信手段１０５を介して表示装置１０２に送信され、画像データが表示される。
【００１７】
表示装置１０２は、ユーザ操作に起因して赤外線リモコン１０３から送信される制御データを受信する赤外線受光部１０７を有している。ユーザは、赤外線リモコン１０３により表示装置１０２を遠隔地点から操作することが可能である。
【００１８】
なお、本実施形態において、カメラ１０１はデジタルスチルカメラやデジタルビデオカメラなどの撮像装置であり、表示装置１０２はデジタルテレビジョン受像機などである。
【００１９】
［カメラの構成］
図２は、本実施形態のカメラのブロック図である。
【００２０】
図２において、２０１はカメラ本体である。２０２は被写体の光学像を受光して光電変換するＣＭＯＳセンサ等からなる撮像素子である。２０３は画像処理回路であり、撮像素子２０２からの電荷信号或いは画像メモリ２０４からのデータに対して所定の画素補間処理や色変換処理を行う。画像処理回路２０３は、撮像した画像データを用いて所定の演算処理を行い、得られた演算結果に基づいてＴＴＬ方式のＡＷＢ（オートホワイトバランス）処理も行っている。
【００２１】
２０４は画像メモリであり、画像処理回路２０３からのデータが書き込まれる。２０５はカメラ本体２０１全体を制御するＣＰＵ等の演算処理回路からなるカメラ制御回路である。２０６は、撮像素子２０２及び画像処理回路２０３にクロック信号や制御信号を供給するタイミング発生回路である。２０７は、シャッター２１４のレリーズ操作を行うためのレリーズ装置であり、シャッターボタン１０４の操作途中（半押し）でスイッチＳＷ１がＯＮとなり、ＡＦ（オートフォーカス）処理、ＡＥ（自動露出）処理等の動作開始を指示する。また、レリーズ装置２０７は、シャッターボタン１０４の操作完了（全押し）でＳＷ２がＯＮとなり、撮像素子２０２から読み出した電荷信号を画像処理回路２０３に出力する。
【００２２】
２０８は、撮影した画像データを格納するためのメモリカードやＨＤＤ等の記憶装置であり、所定枚数の静止画像や所定時間の動画像を格納するのに十分な記憶量を備えている。２０９は、焦点距離情報からフォーカス位置の調整を行うＡＦ装置である。２１０は、被写体の測光情報から露出調整を行うＡＥ装置である。２１１は、カメラ制御回路２０５でのプログラムの実行に応じて、文字、画像、音声等を用いて動作状態やメッセージ等を表示する液晶表示パネル等からなる表示部である。２１３はシャッター２１４を駆動するシャッター駆動回路である。２１２ａは第１の通信手段１０５を構成する第１の通信処理部であり、２１２ｂは第２の通信手段１０６を構成する第２の通信処理部である。
【００２３】
レンズ本体２５０はカメラ本体２０１に対して着脱可能に装着され、通信線や電源からなるコネクタによりカメラ本体２０１に対して電気的に接続されている。２５１は撮影レンズであり、フォーカスレンズ群やズームレンズ群からなる。２５２は撮影時の光量を調整するための絞りである。２５３は後述するフォーカス駆動や絞り駆動等を制御すると共に、カメラ制御回路２０５と通信するＣＰＵ等の演算処理回路からなるレンズ制御回路である。２５４は、レンズ制御回路２５３からの指令に基づき、レンズを光軸方向に駆動するレンズ駆動回路である。２５５は、レンズ制御回路２５３からの指令に基づき、絞り２５２を駆動する絞り駆動回路である。
【００２４】
［デジタルテレビの構成］
図３は本実施形態の表示装置１０２としてのデジタルテレビジョン受像機の内部構成を示すブロック図である。
【００２５】
図３において、３０１は主制御を行うＣＰＵである。３０２はプログラム等が保存されている読み出し専用メモリであるＲＯＭである。３０３は一時保存用メモリのＲＡＭである。３０４はアンテナ３０５で受信したデジタル放送信号を取り込んで音声／映像／画像／データに復元するデジタル放送受信制御部である。３０６ａは赤外線リモコン１０３から発光されるユーザ操作に対応する赤外光線を受光する赤外線受光部である。３０６ｂはディスプレイに操作ボタン等のＵＩ（ユーザインターフェース）画面を表示したり、それに連動した操作を赤外線リモコン１０３で行う操作部である。
【００２６】
３０７は表示画面やスピーカ等である表示／音響部３０８へ音声／映像／画像／データを出力する出力処理部である。３０９は第１の通信手段１０５を構成する第１の通信処理部であり、３１０は第２の通信手段１０６を構成する第２の通信処理部である。３１２はメモリカード用コネクタであり、デジタルカメラ等で撮影した画像データが保存されたメモリカード等を接続することにより表示／音響部３０８で画像データの再生を行うことができる。３２０は前述した各ブロックを結ぶバスラインである。
【００２７】
［リモコンの構成］
図４は本実施形態の赤外線リモコンの構成を示すブロック図である。
【００２８】
４０１は赤外光線を点滅させる発光部を備える送信部である。４０２は各種操ボタンからなる操作部である。４０３は操作部４０２から操作情報を取得して制御データとして送信部４０１から赤外光線を点滅させる中央制御部である。４０４は中央制御部４０３と操作部４０２及び送信部４０１との間で操作情報の受信や制御データの送信を行うためのバスである。
【００２９】
［カメラの動作］
図５は、本実施形態のカメラの動作モードの遷移を示す図である。
【００３０】
起動（５０１）：カメラ１０１は起動後、後述する撮影モード（５０２）に移行する。
【００３１】
撮影モード（５０２）：シャッターボタン１０４が押下されることで撮影動作が行われる。
【００３２】
再生モード（５０３）：第２の通信手段１０６を介して表示装置１０２からモード切替指示を受信するとカメラ１０１は再生モードへ移行する。また、上記シャッターボタン１０４が半押しされてスイッチＳＷ１がＯＮになると撮影モード（５０２）に戻る。
【００３３】
測距・測光動作（５０４）：撮影モード（５０２）において、シャッターボタン１０４が半押しされてスイッチＳＷ１がＯＮになると、測距動作・測光動作を行い、これらの動作が終了すると撮影モードに戻る。
【００３４】
撮影動作（５０５）：撮影モードでシャッターボタン１０４が全押しされてスイッチＳＷ２がＯＮになると、カメラ１０１は撮影動作を行う。
【００３５】
記録動作（５０６）：撮影された画像データは、所定のファイル形式でカメラ１０１に記録される。画像ファイルの記録が終了すると、撮影モード（５０２）に戻る。
【００３６】
［表示装置の動作］
図６は、本実施形態の表示装置の動作モードの遷移を示す図である。
【００３７】
起動（６０１）：表示装置１０２は、起動後に下記動作（６０２）へ移行する。
【００３８】
起動画面（６０２）：表示装置１０２は、予め決められた起動画面を表示する。
【００３９】
画像リスト表示（６０３）：表示装置１０２は、画像リスト表示画面を表示する。本画面ではカメラ１０１に記録されている画像ファイルの内容を一覧表示する。ユーザが赤外線リモコン１０３を操作することで、後述する全画面表示（６０４）に切り替えることができる。
【００４０】
全画面表示（６０４）：表示装置１０２は、第１の通信手段１０５を介してカメラ１０１から送信される画像データを選択する。第１の通信手段１０５を介してカメラ１０１が送信してくる画像データは表示装置１０２の全画面に亘り表示されるデータである。ユーザが赤外線リモコン１０３を操作することで、前述した画像リスト表示（６０３）に切り替えることができる。
【００４１】
表示保持と通知（６０５）：シャッターボタン１０４が半押しされスイッチＳＷ１がＯＮになると、表示装置１０２はその時点で表示されている画像データの表示状態を保持すると共に、ユーザに対してカメラ１０１が撮影動作に移行したことを通知する。
【００４２】
撮影対応更新（６０６）：カメラ１０１の撮影動作が終了すると、撮影結果に対応した更新作業を行う。ここでの詳細は後述する。本処理が終わると、上記動作（６０５）でシャッターボタン１０４のスイッチＳＷ１がＯＮになる前の動作（６０３）又は（６０４）に戻る。
【００４３】
［再生モードから撮影モードへの移行動作］
以下、カメラ１０１が再生モードであり、表示装置１０２において撮影された画像データの表示が実行されているときに、ユーザ操作によって撮影モードに切り替わる場合の動作について説明する。
【００４４】
図７はカメラ１０１と表示装置１０２の各動作と、ユーザ操作の流れを示す図である。
【００４５】
図７の動作例は、前述した図２の動作（５０３）→（５０２）→（５０４）→（５０５）→（５０６）→（５０２）→（５０３）の流れと、図３の動作（６０３）→（６０４）→（６０５）→（６０６）→（６０４）の流れに対応する。
【００４６】
動作（７０１）において、ユーザが赤外線リモコン１０３を操作することで、表示装置１０２に画像表示要求を送信する。
【００４７】
動作（７０２）において、表示装置１０２は第２の通信手段１０６を介してカメラ１０１に画像ファイルの照会を行う。ここで、１つも画像ファイルが存在しない場合には、その旨をユーザに通知する。
【００４８】
動作（７０３）において、カメラ１０１は第２の通信手段１０６を介して、カメラ１０１に記録されている画像ファイルのリストと、各ファイルの画像データを縮小して生成されるサムネイルデータを、表示装置１０２に送信する。
【００４９】
動作（７０４）において、表示装置１０２はカメラ１０１に記録されている画像ファイルのリストを一覧表示する。
【００５０】
図８は上記動作によって表示装置１０２に一覧表示されるリストを例示している。
【００５１】
図８において、８０１は前述したサムネイルデータである。サムネイルデータ８０１の下には、画像ファイルの名前８０２や撮影日時８０３が表示される。画像ファイルの名前８０２や撮影日時８０３はサムネイルデータ８０１の一部として含まれている。選択枠８０４はリスト中でユーザにより選択されている画像ファイルを示している。この選択枠８０４は赤外線リモコン１０３で操作することができる。
【００５２】
動作（７０５）において、ユーザは赤外線リモコン１０３を操作して、選択枠８０４を移動し、画面全体に拡大表示したい画像ファイルを表示装置１０２の画面上で選択する。
【００５３】
動作（７０６）において、表示装置１０２は動作（７０５）で選択された画像ファイル名を、第２の通信手段１０６を介してカメラ１０１に通知する。また、表示装置１０２は、後述する再生開始動作（７０８）に備えて、第１の通信手段１０５を介して送信される画像データを表示するための表示画面に切り替える。以後、表示装置１０２は後述する動作（７１１）終了まで、赤外線リモコン１０３による操作を受け付けない。
【００５４】
動作（７０７）において、表示装置１０２は動作（７０６）で選択された画像ファイル名を記憶する。
【００５５】
動作（７０８）において、表示装置１０２は第２の通信手段１０６によってカメラ１０１に再生モードへの移行を要求する。更に、動作（７０６）で通知された画像ファイルに対応する画像データの再生を行う。
【００５６】
動作（７０９）において、カメラ１０１は第１の通信手段１０５を介して動作（７０７）における画像データを表示装置１０２に送信する。
【００５７】
動作（７１０）において、表示装置１０２には、動作（７０６）で選択された画像データが全面表示される。ユーザは全面表示された画像データを鑑賞することが可能となる。
【００５８】
動作（７１１）において、カメラ１０１は画像データの送信が完了したことを第２の通信手段１０６を介して表示装置１０２へ通知する。
【００５９】
動作（７１２）でユーザがシャッターボタン１０４が半押しされるとＳＷ１がＯＮとなる。
【００６０】
動作（７１３）で、カメラ１０１は撮影モードに移行する旨を第２の通信手段１０６を介して表示装置１０２に通知する。
【００６１】
動作（７１４）で、表示装置１０２は上記動作（７１３）の通知に従って、その時点で表示されている画像データをメモリに保持し、同時にユーザに対して「カメラが撮影モードになりました」というメッセージを表示する。上記画像データをメモリに保持することにより、カメラ１０１で再生モードが中断しても表示画面がブラックアウトすることを防止することができる。
【００６２】
動作（７１５）で、カメラ１０１は再生モードを中断する。上記動作（７１２）に対応して撮影モードに移行する。カメラ１０１は第１の通信手段１０５を介して送信していた画像データの表示を停止する。
【００６３】
動作（７１６）で、ユーザがシャッターボタン１０４を全押しすると、ＳＷ２がＯＮとなる。
【００６４】
動作（７１７）で、カメラ１０１は撮影動作を行う。
【００６５】
動作（７１８）で、カメラ１０１は画像ファイルを生成し、カメラ１０１内に記録する。本画像ファイルはカメラ１０１に挿抜可能なＵＳＢフラッシュメモリなどの記録メディアに記録しても良い。
【００６６】
動作（７１９）で、カメラ１０１は撮影動作が完了し、新しい画像ファイルが生成された旨を第２の通信手段１０６を介して表示装置１０２に通知する。また、動作（７０３）と同様に、カメラ１０１は新しい画像ファイルに対応したサムネイルデータと、更新された画像ファイルのリストを第２の通信手段１０６を介して表示装置１０２へ送信する。
【００６７】
動作（７２０）で、表示装置１０２はユーザに対して「新しい画像が撮影されました」というメッセージを表示する。この時、メッセージは（７１４）で表示状態が保持されている画像データに重畳して表示しても（７２１）、個別に表示しても良い。
【００６８】
動作（７２２）で、表示装置１０２は動作（７０７）で保存していた画像ファイル名を読み出す。
【００６９】
このように、上記動作（７０７）で画像ファイル名を記憶し、動作（７２２）で読み出す。これにより、これら動作間の撮影動作で第１の通信手段１０５及び第２の通信手段１０６が切断されても、再度画像ファイルのリストの選択操作を行わずに、最後に鑑賞していた画像データから再生を再開できる。
【００７０】
動作（７２３）で、ユーザが新たに撮影された画像データと撮影動作前に表示していた画像データのいずれかを選択する操作を行うと、赤外線リモコン１０３から表示装置１０２へ指示を送信する。
【００７１】
動作（７２４）で、表示装置１０２は赤外線リモコン１０３から指示を受けた画像データを第２の通信手段１０６を介してカメラ１０１に通知する。
【００７２】
動作（７２５）で、カメラ１０１は撮影モードを終了し再生モードに復帰する。
【００７３】
動作（７２６）で、カメラ１０１は上記動作（７２４）で選択された画像ファイルのリストに対応する画像データを、第１の通信手段１０５を介して表示装置１０２へ送信する。
【００７４】
動作（７２７）で、カメラ１０１は画像データの送信（７２６）が完了したことを表示装置１０２に通知する。
【００７５】
動作（７２８）で、表示装置１０２は第１の通信手段１０５を介して送信された画像データを表示する。
【００７６】
［他の実施形態］
本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（ＣＰＵやＭＰＵ）が記憶媒体に格納されたプログラムコードを読み出し実行することによっても、達成されることは言うまでもない。
【００７７】
この場合、記憶媒体から読み出されたプログラムコード自体が前述した実施形態の機能を実現することになり、そのプログラムコードを記憶した記憶媒体は本発明を構成することになる。
【００７８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読み出したプログラムコードを実行することにより、前述した実施形態の機能が実現される場合もある。
【００７９】
しかし、さらにプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００８０】
さらに、記憶媒体から読み出されたプログラムコードが、コンピュータに挿入された機能拡張ボードやコンピュータに接続された機能拡張ユニットに備わるメモリに書き込まれる場合も有得る。その後、プログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００８１】
【図１】本発明に係る実施形態の表示システムの構成を示す概略図である。
【図２】本実施形態のカメラのブロック図である。
【図３】本実施形態の表示装置１０２としてのデジタルテレビジョン受像機の内部構成を示すブロック図である。
【図４】本実施形態の赤外線リモコンの構成を示すブロック図である。
【図５】本実施形態のカメラの動作モードの遷移を示す図である。
【図６】本実施形態の表示装置の動作モードの遷移を示す図である。
【図７】カメラ１０１と表示装置１０２の各動作と、ユーザ操作の流れを示す図である。
【図８】図７の動作によって表示装置１０２に一覧表示されるリストを例示する図である。
【符号の説明】
【００８２】
１０１  カメラ
１０２  表示装置
１０３  赤外線リモコン
１０４  シャッターボタン
１０５  第１の通信手段
１０６  第２の通信手段
１０７  赤外線受光部
【図１】
2009260571.tif 000003
【図２】
2009260571.tif 000004
【図３】
2009260571.tif 000005
【図４】
2009260571.tif 000006
【図５】
2009260571.tif 000007
【図６】
2009260571.tif 000008
【図７】
2009260571.tif 000009
【図８】
2009260571.tif 000010